【誤訳訂正書】
【提出日】平成31年2月25日(2019.2.25)
【誤訳訂正１】
【訂正対象書類名】特許請求の範囲
【訂正対象項目名】全文
【訂正方法】変更
【訂正の内容】
【特許請求の範囲】
【請求項１】
下記式(1)又は(1')の構造を有するアミド酸エステルオリゴマーであって、
【化１】
2018104678.tif 000001
式中
Gは、各々独立して、四価の有機基であり；
Pは、各々独立して、二価の有機基であり；
Rは、C1〜C14アルキル、非置換又はヒドロキシル及びC1〜C4アルキルから選択される1若しくは複数の基で置換されたC6〜C14アリール、或いはエチレン性不飽和結合を有する基であり；
Rxは、各々独立してH、C1〜C8アルキル、又はエチレン性不飽和結合を有する基であり；
Dは、
【化２】
2018104678.tif 000002
、C1〜C8アルキルで置換された5若しくは6員の窒素を含有するヘテロシクリル基、又は5若しくは6員の窒素を含有するヘテロシクリル基で置換されたC1〜C8アルキルであり；
式中、R1はH；C1〜C8ハロアルキル；C6〜C14アリール、5若しくは6員の窒素を含有するヘテロシクリル基、及びシアノから選択される1若しくは複数の基で置換されたC1〜C8アルコキシ；C1〜C8ハロアルコキシ；又は-NR5R6であり；
R2及びR3は、ハロゲンであり；
R4は、メチル又は
【化３】
2018104678.tif 000003
であり；
R5及びR6は、同一でも異なっていてもよく、各々独立してH、或いは非置換又は1若しくは複数のアルキル基で置換されたC6〜C14アリールであり；
Eは、
【化４】
2018104678.tif 000004
又は-N(CH3)2であり；
mは1〜100の整数である、アミド酸エステルオリゴマー。
【請求項２】
エチレン性不飽和結合を有する基が、エテニル、プロペニル、メチルプロペニル、n-ブテニル、イソ-ブテニル、エテニルフェニル、プロペニルフェニル、プロペニルオキシメチル、プロペニルオキシエチル、プロペニルオキシプロピル、プロペニルオキシブチル、プロペニルオキシペンチル、プロペニルオキシヘキシル、メチルプロペニルオキシメチル、メチルプロペニルオキシエチル、メチルプロペニルオキシプロピル、メチルプロペニルオキシブチル、メチルプロペニルオキシペンチル、メチルプロペニルオキシヘキシル、及び式(2)の基：
【化５】
2018104678.tif 000005
からなる群から選択され、
式中、R7は、フェニレン、C1〜C8アルキレン、C2〜C8アルケニレン、C3〜C8シクロアルキレン、C1〜C8ヒドロキシアルキレン、又は
【化６】
2018104678.tif 000006
(式中、n'は1〜4の整数である)であり；
R8は、水素又はC1〜C4アルキルである、請求項1に記載のオリゴマー。
【請求項３】
Rが、各々独立して、
【化７】
2018104678.tif 000007
からなる群から選択される、請求項1に記載のオリゴマー。
【請求項４】
四価の有機基が、
【化８】
2018104678.tif 000008
からなる群から選択され、
式中、Xは、各々独立して、水素、ハロゲン、C1〜C4ペルフルオロアルキル、又はC1〜C4アルキルであり；
A及びBは、各出現時に各々独立して、共有結合、非置換又はヒドロキシル及びC1〜C4アルキルから選択される1若しくは複数の基で置換されたC1〜C4アルキレン、C1〜C4ペルフルオロアルキレン、C1〜C4アルキレンオキシ、シリレン、-O-、-S-、-C(O)-、-OC(O)-、-S(O)2-、-C(=O)O-(C1〜C4アルキレン)-OC(=O)-、-CONH-、フェニル、ビフェニリル、或いは
【化９】
2018104678.tif 000009
であり、
式中、Kは、-O-、-S(O)2-、C1〜C4アルキレン又はC1〜C4ペルフルオロアルキレンである、請求項1に記載のオリゴマー。
【請求項５】
四価の有機基が、
【化１０】
2018104678.tif 000010
からなる群から選択され、
式中、Zは、各々独立して水素、メチル、トリフルオロメチル又はハロゲンである、請求項1に記載のオリゴマー。
【請求項６】
二価の有機基が、
【化１１】
2018104678.tif 000011
からなる群から選択され、
式中：
R9は、各々独立して、H、C1〜C4アルキル、C1〜C4ペルフルオロアルキル、C1〜C4アルコキシ、ハロゲン、-OH、-COOH、-NH2又は-SHであり；
aは、各々独立して、0〜4の整数であり；
bは、各々独立して、0〜4の整数であり；
R10は、共有結合又は
【化１２】
2018104678.tif 000012
からなる群から選択される基であり、
式中：
c及びdは、各々独立して、1〜20の整数であり；
R9及びaは、請求項1で定義した通りであり；
R12は、-S(O)2-、-C(O)-、共有結合基、C1〜C4アルキル又はC1〜C4ペルフルオロアルキルであり；
R11は、各々独立して、水素、ハロゲン、フェニル、C1〜C4アルキル、又はC1〜C4ペルフルオロアルキルであり；
w及びyは、各々1〜3の整数である、請求項1に記載のオリゴマー。
【請求項７】
二価の有機基が、
【化１３Ａ】
2018104678.tif 000013
【化１３Ｂ】
2018104678.tif 000014
及びこれらの組合せからなる群から選択され、
式中：
aは、各々独立して、0〜4の整数であり；
Zは、各々独立して、水素、メチル、トリフルオロメチル又はハロゲンである、請求項6に記載のオリゴマー。
【請求項８】
置換基Dが：
(i)
【化１４】
2018104678.tif 000015
(式中、R1は、H、トリフルオロメチル、ペンタフルオロエチル、
【化１５】
2018104678.tif 000016
、又は-NHPhである)；
(ii)
【化１６】
2018104678.tif 000017
(式中、R2及びR3は、各々独立して、-F又は-Clであり；
R4は、メチル又は
【化１７】
2018104678.tif 000018
である)；又は
(iii)
【化１８】
2018104678.tif 000019
である、請求項1に記載のオリゴマー。
【請求項９】
Dが、
【化１９】
2018104678.tif 000020
である、請求項1に記載のオリゴマー。
【請求項１０】
mが、2〜25の整数である、請求項1に記載のオリゴマー。
【請求項１１】
請求項1から10のいずれか一項に記載のオリゴマー及び溶媒を含む、ポリイミド前駆体組成物。
【請求項１２】
溶媒が、N-メチルピロリドン、ジメチルアセトアミド、ジメチルホルムアミド、ジメチルスルホキシド、トルエン、キシレン、ジエチレングリコールジブチルエーテル、N-オクチル-2-ピロリドン、N,N-ジメチルカプロアミド、及びこれらの混合物からなる群から選択される、請求項11に記載の組成物。
【請求項１３】
感光性のポリイミド前駆体組成物である、請求項11に記載の組成物。
【請求項１４】
光塩基発生剤を更に含み、光塩基発生剤が、
【化２０】
2018104678.tif 000021
並びにこれらの組合せからなる群から選択され、
式中、R17は、メチル又はエチルであり；
R15は、メチル、エチル、プロピル、フェニル、ベンジル、-CH2CH2OH、
【化２１】
2018104678.tif 000022
、-C6H11又は
【化２２】
2018104678.tif 000023
である、請求項13に記載の組成物。
【請求項１５】
アミド酸エステルオリゴマーの100質量部に対して、光塩基発生剤の含有率が、約0.5〜約20質量部である、請求項14に記載の組成物。
【請求項１６】
熱塩基発生剤を更に含む、請求項11から15のいずれか一項に記載の組成物。
【請求項１７】
請求項1から10のいずれか一項に記載のオリゴマー又は請求項11から16のいずれか一項に記載の前駆体組成物を用いて調製されたポリイミド。